(57)【特許請求の範囲】
【請求項１】
脱衣所に隣接した浴室の天井面に配設された本体内に、冷媒を圧縮する圧縮機と冷媒が供給空気に対して放熱する放熱器と冷媒を膨張させて減圧する減圧機構と冷媒が供給空気から吸熱する吸熱器を配管接続した冷媒回路と、前記浴室から空気を吸い込んで前記浴室または前記脱衣所に供給する循環ファンと、前記浴室または前記脱衣所から空気を吸い込んで屋外に排出する排気ファンとを備えるとともに、前記本体と前記脱衣所とを連通する接続ダクトと、前記本体と屋外とを連通する排気ダクトを配設した多室形換気空調装置であって、前記排気ファンにより前記接続ダクトを通じて前記脱衣所の空気を前記本体内に取り入れて前記吸熱器に供給し冷媒の吸熱により冷却した後に前記排気ダクトを通じて屋外に排出するとともに前記循環ファンにより前記浴室内の空気を前記本体内に取り入れて前記放熱器に供給し冷媒の放熱により加熱した後に前記浴室に供給する浴室暖房運転の形態と、前記排気ファンにより前記浴室内の空気を前記本体内に取り入れて前記吸熱器に供給し冷媒の吸熱により冷却した後に前記排気ダクトを通じて屋外に排出するとともに前記循環ファンにより前記浴室内の空気を前記本体内に取り入れて前記放熱器に供給し冷媒の放熱により加熱した後に前記接続ダクトを通じて前記脱衣所に供給する脱衣所暖房運転の形態とを切換可能に構成したことを特徴とする多室形換気空調装置。
【請求項２】
脱衣所に隣接した浴室の天井面に配設された本体内に、冷媒を圧縮する圧縮機と冷媒が供給空気に対して放熱する放熱器と冷媒を膨張させて減圧する減圧機構と冷媒が供給空気から吸熱する吸熱器を配管接続した冷媒回路と、前記浴室から空気を吸い込んで前記浴室または前記脱衣所に供給する循環ファンと、前記浴室または前記脱衣所から空気を吸い込んで屋外に排出する排気ファンとを備えるとともに、前記本体と前記脱衣所とを連通する接続ダクトと、前記本体と屋外とを連通する排気ダクトを配設した多室形換気空調装置であって、前記排気ファンにより前記接続ダクトを通じて前記脱衣所の空気を前記本体内に取り入れて前記放熱器に供給し冷媒の放熱により加熱した後に前記排気ダクトを通じて屋外に排出するとともに前記循環ファンにより前記浴室内の空気を前記本体内に取り入れて前記吸熱器に供給し冷媒の吸熱により冷却した後に前記浴室に供給する浴室冷房運転の形態と、前記排気ファンにより前記浴室内の空気を前記本体内に取り入れて前記放熱器に供給し冷媒の放熱により加熱した後に前記排気ダクトを通じて屋外に排出するとともに前記循環ファンにより前記浴室内の空気を前記本体内に取り入れて前記吸熱器に供給し冷媒の吸熱により冷却した後に前記接続ダクトを通じて前記脱衣所に供給する脱衣所冷房運転の形態とを切換可能に構成したことを特徴とする多室形換気空調装置。
【請求項３】
脱衣所に隣接した浴室の天井面に配設された本体内に、冷媒を圧縮する圧縮機と冷媒が供給空気に対して放熱する放熱器と冷媒を膨張させて減圧する減圧機構と冷媒が供給空気から吸熱する吸熱器を配管接続した冷媒回路と、前記浴室から空気を吸い込んで前記浴室または前記脱衣所に供給する循環ファンを備えるとともに、前記本体と前記脱衣所とを連通する接続ダクトを配設した多室形換気空調装置であって、前記循環ファンにより前記浴室内の空気を前記本体内に取り入れて前記吸熱器に供給し冷媒の吸熱により冷却減湿した後に前記放熱器に供給し冷媒の放熱により加熱して前記浴室に供給する浴室除湿運転の形態と、前記循環ファンにより前記浴室内の空気を前記本体内に取り入れて前記吸熱器に供給し冷媒の吸熱により冷却減湿した後に前記放熱器に供給し冷媒の放熱により加熱して前記接続ダクトを通じて前記脱衣所に供給する脱衣所除湿運転の形態とを切換可能に構成したことを特徴とする多室形換気空調装置。
【請求項４】
脱衣所に隣接した浴室の天井面に配設された本体内に、冷媒を圧縮する圧縮機と冷媒が供給空気に対して放熱する放熱器と冷媒を膨張させて減圧する減圧機構と冷媒が供給空気から吸熱する第一吸熱器および第二吸熱器とを配管接続した冷媒回路と、前記浴室から空気を吸い込んで前記浴室または前記脱衣所に供給する循環ファンと、前記浴室または前記脱衣所から空気を吸い込んで屋外に排出する排気ファンとを備えるとともに、前記本体と前記脱衣所とを連通する接続ダクトと、前記本体と屋外とを連通する排気ダクトを配設した多室形換気空調装置であって、前記排気ファンにより前記接続ダクトを通じて前記脱衣所の空気を前記本体内に取り入れて前記第二吸熱器に供給し冷媒の吸熱により冷却した後に前記排気ダクトを通じて屋外に排出するとともに前記循環ファンにより前記浴室内の空気を前記本体内に取り入れて前記第一吸熱器に供給し冷媒の吸熱により冷却減湿した後に前記放熱器に供給し冷媒の放熱により加熱して前記浴室に供給する浴室除湿乾燥運転の形態と、前記排気ファンにより前記浴室内の空気を前記本体内に取り入れて前記第二吸熱器に供給し冷媒の吸熱により冷却した後に前記排気ダクトを通じて屋外に排出するとともに前記循環ファンにより前記浴室内の空気を前記本体内に取り入れて前記第一吸熱器に供給し冷媒の吸熱により冷却減湿した後に前記放熱器に供給し冷媒の放熱により加熱して前記接続ダクトを通じて前記脱衣所に供給する脱衣所除湿乾燥運転の形態とを切換可能に構成したことを特徴とする多室形換気空調装置。
【請求項５】
排気ファンにより浴室内の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に浴室に戻す浴室乾燥運転の形態を更に切換可能に構成したことを特徴とする請求項１、２、３または４記載の多室形換気空調装置。
【発明の詳細な説明】
【技術分野】
【０００１】
本発明は、ヒートポンプを利用して浴室および脱衣所の換気空調を行う多室形の換気空調装置に関する。
【背景技術】
【０００２】
従来のヒートポンプを利用した浴室および脱衣所の換気空調装置としては、ダクトを介して脱衣所から取り入れられた空気に対してヒートポンプの一方の熱交換器が放熱（または吸熱）を行い、その空気を浴室内およびダクトを介して脱衣所に吹き出すとともに、ヒートポンプの他方の熱交換器が浴室から屋外に排出される空気に対して吸熱（または放熱）することで浴室および脱衣所を空調するものがある（例えば、特許文献１参照）。
【特許文献１】特開２００５−１８０７１２号公報（第１０頁、第７図）
【発明の開示】
【発明が解決しようとする課題】
【０００３】
このような従来の多室形換気空調装置では、浴室および脱衣所の空調を行うために脱衣所から本体内に空気を取り入れるダクトの他に、本体内において空調された空気を脱衣所に吹き出すためのダクトを別途設ける必要があるので、複数のダクトを設けるスペースが必要となり施工性も悪化するという課題があった。
【０００４】
本発明は、このような従来の課題を解決するものであり、単一のダクトで脱衣所と本体を連通するのみで浴室の空調と脱衣所の空調を切換可能にし、施工性の向上とダクトの省スペース化を実現することができる多室形換気空調装置を提供することを目的としている。
【課題を解決するための手段】
【０００６】
本発明の多室形換気空調装置は上記目的を達成するために、脱衣所に隣接した浴室の天井面に配設された本体内に、冷媒を圧縮する圧縮機と冷媒が供給空気に対して放熱する放熱器と冷媒を膨張させて減圧する減圧機構と冷媒が供給空気から吸熱する吸熱器を配管接続した冷媒回路と、前記浴室から空気を吸い込んで前記浴室または前記脱衣所に供給する循環ファンと、前記浴室または前記脱衣所から空気を吸い込んで屋外に排出する排気ファンとを備えるとともに、前記本体と前記脱衣所とを連通する接続ダクトと、前記本体と屋外とを連通する排気ダクトを配設した多室形換気空調装置であって、前記排気ファンにより前記接続ダクトを通じて前記脱衣所の空気を前記本体内に取り入れて前記吸熱器に供給し冷媒の吸熱により冷却した後に前記排気ダクトを通じて屋外に排出するとともに前記循環ファンにより前記浴室内の空気を前記本体内に取り入れて前記放熱器に供給し冷媒の放熱により加熱した後に前記浴室に供給する浴室暖房運転の形態と、前記排気ファンにより前記浴室内の空気を前記本体内に取り入れて前記吸熱器に供給し冷媒の吸熱により冷却した後に前記排気ダクトを通じて屋外に排出するとともに前記循環ファンにより前記浴室内の空気を前記本体内に取り入れて前記放熱器に供給し冷媒の放熱により加熱した後に前記接続ダクトを通じて前記脱衣所に供給する脱衣所暖房運転の形態とを切換可能に構成したものである。
【０００７】
また、第２の課題解決手段は、脱衣所に隣接した浴室の天井面に配設された本体内に、
冷媒を圧縮する圧縮機と冷媒が供給空気に対して放熱する放熱器と冷媒を膨張させて減圧する減圧機構と冷媒が供給空気から吸熱する吸熱器を配管接続した冷媒回路と、前記浴室から空気を吸い込んで前記浴室または前記脱衣所に供給する循環ファンと、前記浴室または前記脱衣所から空気を吸い込んで屋外に排出する排気ファンとを備えるとともに、前記本体と前記脱衣所とを連通する接続ダクトと、前記本体と屋外とを連通する排気ダクトを配設した多室形換気空調装置であって、前記排気ファンにより前記接続ダクトを通じて前記脱衣所の空気を前記本体内に取り入れて前記放熱器に供給し冷媒の放熱により加熱した後に前記排気ダクトを通じて屋外に排出するとともに前記循環ファンにより前記浴室内の空気を前記本体内に取り入れて前記吸熱器に供給し冷媒の吸熱により冷却した後に前記浴室に供給する浴室冷房運転の形態と、前記排気ファンにより前記浴室内の空気を前記本体内に取り入れて前記放熱器に供給し冷媒の放熱により加熱した後に前記排気ダクトを通じて屋外に排出するとともに前記循環ファンにより前記浴室内の空気を前記本体内に取り入れて前記吸熱器に供給し冷媒の吸熱により冷却した後に前記接続ダクトを通じて前記脱衣所に供給する脱衣所冷房運転の形態とを切換可能に構成したものである。
【０００８】
また、第３の課題解決手段は、脱衣所に隣接した浴室の天井面に配設された本体内に、冷媒を圧縮する圧縮機と冷媒が供給空気に対して放熱する放熱器と冷媒を膨張させて減圧する減圧機構と冷媒が供給空気から吸熱する吸熱器を配管接続した冷媒回路と、前記浴室から空気を吸い込んで前記浴室または前記脱衣所に供給する循環ファンを備えるとともに、前記本体と前記脱衣所とを連通する接続ダクトを配設した多室形換気空調装置であって、前記循環ファンにより前記浴室内の空気を前記本体内に取り入れて前記吸熱器に供給し冷媒の吸熱により冷却減湿した後に前記放熱器に供給し冷媒の放熱により加熱して前記浴室に供給する浴室除湿運転の形態と、前記循環ファンにより前記浴室内の空気を前記本体内に取り入れて前記吸熱器に供給し冷媒の吸熱により冷却減湿した後に前記放熱器に供給し冷媒の放熱により加熱して前記接続ダクトを通じて前記脱衣所に供給する脱衣所除湿運転の形態とを切換可能に構成したものである。
【０００９】
また、第４の課題解決手段は、脱衣所に隣接した浴室の天井面に配設された本体内に、冷媒を圧縮する圧縮機と冷媒が供給空気に対して放熱する放熱器と冷媒を膨張させて減圧する減圧機構と冷媒が供給空気から吸熱する第一吸熱器および第二吸熱器とを配管接続した冷媒回路と、前記浴室から空気を吸い込んで前記浴室または前記脱衣所に供給する循環ファンと、前記浴室または前記脱衣所から空気を吸い込んで屋外に排出する排気ファンとを備えるとともに、前記本体と前記脱衣所とを連通する接続ダクトと、前記本体と屋外とを連通する排気ダクトを配設した多室形換気空調装置であって、前記排気ファンにより前記接続ダクトを通じて前記脱衣所の空気を前記本体内に取り入れて前記第二吸熱器に供給し冷媒の吸熱により冷却した後に前記排気ダクトを通じて屋外に排出するとともに前記循環ファンにより前記浴室内の空気を前記本体内に取り入れて前記第一吸熱器に供給し冷媒の吸熱により冷却減湿した後に前記放熱器に供給し冷媒の放熱により加熱して前記浴室に供給する浴室除湿乾燥運転の形態と、前記排気ファンにより前記浴室内の空気を前記本体内に取り入れて前記第二吸熱器に供給し冷媒の吸熱により冷却した後に前記排気ダクトを通じて屋外に排出するとともに前記循環ファンにより前記浴室内の空気を前記本体内に取り入れて前記第一吸熱器に供給し冷媒の吸熱により冷却減湿した後に前記放熱器に供給し冷媒の放熱により加熱して前記接続ダクトを通じて前記脱衣所に供給する脱衣所除湿乾燥運転の形態とを切換可能に構成したものである。
【００１０】
また、第６の課題解決手段は、排気ファンにより浴室内の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に浴室に戻す浴室乾燥運転の形態を更に切換可能に構成したものである。
【発明の効果】
【００１２】
本発明の請求項１記載の発明によれば、排気ファンにより接続ダクトを通じて脱衣所の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に浴室に供給する運転形態と、排気ファンにより浴室内の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に接続ダクトを通じて脱衣所に供給する運転形態を切換可能に構成したことにより、本体と脱衣所を単一の接続ダクトのみで接続する簡易な構成において浴室の暖房と脱衣所の暖房を切換可能にし、施工性の向上とダクトの省スペース化を実現することができる多室形換気空調装置を提供できる。
【００１３】
また、請求項２記載の発明によれば、排気ファンにより接続ダクトを通じて脱衣所の空気を本体内に取り入れて放熱器に供給し冷媒の放熱により加熱した後に排気ダクトを通じて屋外に排出するとともに循環ファンにより浴室内の空気を本体内に取り入れて吸熱器に供給し冷媒の吸熱により冷却した後に浴室に供給する運転形態と、排気ファンにより浴室内の空気を本体内に取り入れて放熱器に供給し冷媒の放熱により加熱した後に排気ダクトを通じて屋外に排出するとともに循環ファンにより浴室内の空気を本体内に取り入れて吸熱器に供給し冷媒の吸熱により冷却した後に接続ダクトを通じて脱衣所に供給する運転形態を切換可能に構成したことにより、本体と脱衣所を単一の接続ダクトのみで接続する簡易な構成において浴室の冷房と脱衣所の冷房を切換可能にし、施工性の向上とダクトの省スペース化を実現することができる多室形換気空調装置を提供できる。
【００１４】
また、請求項３記載の発明によれば、循環ファンにより浴室内の空気を本体内に取り入れて吸熱器に供給し冷媒の吸熱により冷却減湿した後に放熱器に供給し冷媒の放熱により加熱して浴室に供給する運転形態と、循環ファンにより浴室内の空気を本体内に取り入れて吸熱器に供給し冷媒の吸熱により冷却減湿した後に放熱器に供給し冷媒の放熱により加熱して接続ダクトを通じて脱衣所に供給する運転形態を切換可能に構成したことにより、本体と脱衣所を単一の接続ダクトのみで接続する簡易な構成において浴室の除湿と脱衣所の除湿を切換可能にし、施工性の向上とダクトの省スペース化を実現することができる多室形換気空調装置を提供できる。
【００１５】
また、請求項４記載の発明によれば、排気ファンにより接続ダクトを通じて脱衣所の空気を本体内に取り入れて第二吸熱器に供給し冷媒の吸熱により冷却した後に排気ダクトを通じて屋外に排出するとともに循環ファンにより浴室内の空気を本体内に取り入れて第一吸熱器に供給し冷媒の吸熱により冷却減湿した後に放熱器に供給し冷媒の放熱により加熱して浴室に供給する運転形態と、排気ファンにより浴室内の空気を本体内に取り入れて第二吸熱器に供給し冷媒の吸熱により冷却した後に排気ダクトを通じて屋外に排出するとともに循環ファンにより浴室内の空気を本体内に取り入れて第一吸熱器に供給し冷媒の吸熱により冷却減湿した後に放熱器に供給し冷媒の放熱により加熱して接続ダクトを通じて脱衣所に供給する運転形態を切換可能に構成したことにより、本体と脱衣所を単一の接続ダクトのみで接続する簡易な構成において浴室の除湿乾燥と脱衣所の除湿乾燥を切換可能にし、施工性の向上とダクトの省スペース化を実現することができる多室形換気空調装置を提供できる。
【００１６】
また、請求項５記載の発明によれば、排気ファンにより浴室内の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に浴室に供給する浴室乾燥運転の形態を更に切換可能に構成したことにより、本体と脱衣所を単一の接続ダクトのみで接続する簡易な構成において高効率な乾燥運転を実現できるという効果のある多室形換気空調装置を提供できる。
【発明を実施するための最良の形態】
【００１８】
本発明の請求項１記載の発明によれば、排気ファンにより接続ダクトを通じて脱衣所の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に浴室に供給する運転形態と、排気ファンにより浴室内の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に接続ダクトを通じて脱衣所に供給する運転形態を切換可能に構成したことにより、本体と脱衣所を単一の接続ダクトのみで接続する簡易な構成において浴室の暖房と脱衣所の暖房を切換可能にし、施工性の向上とダクトの省スペース化を実現することができるという作用を有する。
【００１９】
また、請求項２記載の発明は、排気ファンにより接続ダクトを通じて脱衣所の空気を本体内に取り入れて放熱器に供給し冷媒の放熱により加熱した後に排気ダクトを通じて屋外に排出するとともに循環ファンにより浴室内の空気を本体内に取り入れて吸熱器に供給し冷媒の吸熱により冷却した後に浴室に供給する運転形態と、排気ファンにより浴室内の空気を本体内に取り入れて放熱器に供給し冷媒の放熱により加熱した後に排気ダクトを通じて屋外に排出するとともに循環ファンにより浴室内の空気を本体内に取り入れて吸熱器に供給し冷媒の吸熱により冷却した後に接続ダクトを通じて脱衣所に供給する運転形態を切換可能に構成したことにより、本体と脱衣所を単一の接続ダクトのみで接続する簡易な構成において浴室の冷房と脱衣所の冷房を切換可能にし、施工性の向上とダクトの省スペース化を実現することができるという作用を有する。
【００２０】
また、請求項３記載の発明は、循環ファンにより浴室内の空気を本体内に取り入れて吸熱器に供給し冷媒の吸熱により冷却減湿した後に放熱器に供給し冷媒の放熱により加熱して浴室に供給する運転形態と、循環ファンにより浴室内の空気を本体内に取り入れて吸熱器に供給し冷媒の吸熱により冷却減湿した後に放熱器に供給し冷媒の放熱により加熱して接続ダクトを通じて脱衣所に供給する運転形態を切換可能に構成したことにより、本体と脱衣所を単一の接続ダクトのみで接続する簡易な構成において浴室の除湿と脱衣所の除湿を切換可能にし、施工性の向上とダクトの省スペース化を実現することができるという作用を有する。
【００２１】
また、請求項４記載の発明は、排気ファンにより接続ダクトを通じて脱衣所の空気を本体内に取り入れて第二吸熱器に供給し冷媒の吸熱により冷却した後に排気ダクトを通じて屋外に排出するとともに循環ファンにより浴室内の空気を本体内に取り入れて第一吸熱器に供給し冷媒の吸熱により冷却減湿した後に放熱器に供給し冷媒の放熱により加熱して浴室に供給する運転形態と、排気ファンにより浴室内の空気を本体内に取り入れて第二吸熱器に供給し冷媒の吸熱により冷却した後に排気ダクトを通じて屋外に排出するとともに循環ファンにより浴室内の空気を本体内に取り入れて第一吸熱器に供給し冷媒の吸熱により冷却減湿した後に放熱器に供給し冷媒の放熱により加熱して接続ダクトを通じて脱衣所に供給する運転形態を切換可能に構成したことにより、本体と脱衣所を単一の接続ダクトのみで接続する簡易な構成において浴室の除湿乾燥と脱衣所の除湿乾燥を切換可能にし、施工性の向上とダクトの省スペース化を実現することができるという作用を有する。
【００２２】
また、請求項５記載の発明は、排気ファンにより浴室内の空気を本体内に取り入れて吸熱器に供給し冷媒の吸熱により冷却した後に排気ダクトを通じて屋外に排出するとともに循環ファンにより浴室内の空気を本体内に取り入れて放熱器に供給し冷媒の放熱により加熱した後に浴室に供給する浴室乾燥運転の形態を更に切換可能に構成したことにより、本体と脱衣所を単一の接続ダクトのみで接続する簡易な構成において高効率な乾燥運転を実現できるという作用を有する。
【００２３】
（実施の形態１）
以下、本発明の実施の形態１を図１〜７に基づいて説明する。図１は、本発明の実施形態１にかかる多室形換気空調装置の設置状態を示す図である。この多室形換気空調装置の本体１は、浴室２の天井面に設置されており、この本体１の下面には浴室２内と連通するように吸込口３および吹出口４が開口している。また、浴室２に隣接して脱衣所５が設けられており、浴室２と脱衣所５を仕切る壁面にガラリ６が開口したドア７を配設している。また、脱衣所５の天井面には通風口８が開口しており、この通風口８と本体１が接続ダクト９により接続されている。また、本体１の側面には排気ダクト１０が接続されており、この排気ダクト１０の他端は屋外に開口している。したがって本体１は、接続ダクト９を介して脱衣所５と連通するとともに排気ダクト１０を介して屋外と連通した構成となっている。
【００２４】
図２は、多室形換気空調装置の風路構成図及び冷媒回路図であり、図に示すように脱衣所５と連通する接続ダクト９および屋外と連通する排気ダクト１０が接続された本体１内に、冷媒を圧縮する圧縮機１１、供給空気と冷媒を熱交換させるフィンチューブ式の第一熱交換器１２、第二熱交換器１３、第三熱交換器１４および冷媒を減圧膨張するキャピラリチューブからなる減圧機構１５を配管接続した冷媒回路１６が配設されている。この冷媒回路１６内に充填される冷媒としては、例えばＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などを用いることができる。
【００２５】
この冷媒回路１６中には、圧縮機１１から吐出された冷媒を第一熱交換器１２、第二熱交換器１３、減圧機構１５、第三熱交換器１４の順に流して再び圧縮機１１に戻す経路（以下、暖房サイクル）と、圧縮機１１から吐出された冷媒を第三熱交換器１４、減圧機構１５、第二熱交換器１３、第一熱交換器１２の順に流して再び圧縮機１１に戻す経路（以下、冷房サイクル）とを切り換える流路切換弁１７が介設されている。また、第一熱交換器１２と第二熱交換器１３を接続する経路には冷媒を減圧膨張するキャピラリチューブ１８と、このキャピラリチューブ１８をバイパスさせるための開閉弁１９が並設されている。
【００２６】
また本体１内には、吸込口３から浴室２の空気を吸引して第二熱交換器１３、第一熱交換器１２の順に供給する循環ファン２０と、第三熱交換器１４に空気を供給し排気ダクト１０を通じて屋外に排出する排気ファン２１が配設されている。さらに本体１内には循環ファン２０の吹出側を吹出口４あるいは接続ダクト９の何れか一方に連通するための第一ダンパー２２と、排気ファン２１の吸込側を吸込口３あるいは接続ダクト９の何れか一方に連通するための第二ダンパー２３を設けている。
【００２７】
したがって第一ダンパー２２を循環ファン２０の吹出側が吹出口４と連通する位置に設定すると循環ファン２０によって吸込口３から本体１内に吸引された空気が第二熱交換器１３、第一熱交換器１２を順に通過した後に吹出口４から浴室２に供給されることになり、また、第一ダンパー２２を循環ファン２０の吹出側が接続ダクト９と連通する位置に設定すると循環ファン２０によって吸込口３から本体１内に吸引された空気が第二熱交換器１３、第一熱交換器１２を順に通過した後に接続ダクト９を通って脱衣所５に供給されることになる。
【００２８】
また、第二ダンパー２３を排気ファン２１の吸込側が吸込口３と連通する位置に設定すると排気ファン２１によって吸込口３から浴室２の空気が本体１内に吸い込まれて第三熱交換器１４を通過した後に排気ダクト１０から屋外に排出されることになり、また、第二ダンパー２３を排気ファン２１の吸込側が接続ダクト９と連通する位置に設定すると排気ファン２１によって接続ダクト９を通じて脱衣所５の空気が本体１内に吸い込まれて第三熱交換器１４を通過した後に排気ダクト１０から屋外に排出されることになる。
【００２９】
次に多室形換気空調装置の運転動作について説明する。図３は、浴室暖房運転および脱衣所暖房運転の運転動作を説明する動作説明図であり、図３（ａ）は浴室暖房運転時の動作、図３（ｂ）は脱衣所暖房運転時の動作を示している。まず浴室暖房運転を実行する場合は、図３（ａ）に示すように流路切換弁１７を暖房サイクル側、開閉弁１９を開放状態、第一ダンパー２２を循環ファン２０の吹出側が吹出口４と連通する位置に設定し、第二ダンパー２３を排気ファン２１の吸込側が接続ダクト９と連通する位置に設定する。
【００３０】
このような状態で圧縮機１１、循環ファン２０、排気ファン２１を各々運転すると、圧縮機１１で圧縮された高温高圧の冷媒が暖房サイクル側に設定されている流路切換弁１７を通り、第一熱交換器１２に流入した後、開放状態に設定されている開閉弁１９を通って減圧作用を受けずに第二熱交換器１３に流入する。第一熱交換器１２および第二熱交換器１３には循環ファン２０の運転により吸込口３を介して浴室２の空気が供給され、高温高圧の冷媒が供給空気に対して放熱して供給空気は加熱される。加熱された供給空気は、第一ダンパー２２の開放方向である吹出口４側に導かれて吹出口４から浴室２内に供給される。一方、第一熱交換器１２および第二熱交換器１３で放熱した冷媒は、減圧機構１５に流入し減圧膨張して低温低圧となり第三熱交換器１４に流入する。第三熱交換器１４には排気ファン２１の運転によって第二ダンパー２３の開放方向である接続ダクト９を通じて脱衣所５の空気が供給され、冷媒がこの供給空気から吸熱する。第三熱交換器１４で吸熱した冷媒は、流路切換弁１７を通って圧縮機１１に戻り、冷媒回路１６を循環する。一方、第三熱交換器１４において冷媒に吸熱された空気は排気ダクト１０から屋外に排出される。
【００３１】
このように浴室暖房運転は、第三熱交換器１４において冷媒が供給空気から吸熱するとともに第一熱交換器１２および第二熱交換器１３において冷媒が供給空気に対して放熱し、この放熱により加熱された高温空気を浴室２に供給することによって浴室２内を暖房するものであり、この浴室暖房運転においては第一熱交換器１２および第二熱交換器１３が供給空気に対して冷媒が放熱する放熱器２４、第三熱交換器１４が供給空気から冷媒が吸熱する吸熱器２５となる。
【００３２】
次に脱衣所暖房運転について説明する。この脱衣所暖房運転を実行する場合は、図３（ｂ）に示すように流路切換弁１７を暖房サイクル側、開閉弁１９を開放状態、第一ダンパー２２を循環ファン２０の吹出側が接続ダクト９と連通する位置に設定し、第二ダンパー２３を排気ファン２１の吸込側が吸込口４と連通する位置に設定する。
【００３３】
このような状態で圧縮機１１、循環ファン２０、排気ファン２１を各々運転すると、圧縮機１１で圧縮された高温高圧の冷媒が暖房サイクル側に設定されている流路切換弁１７を通り、第一熱交換器１２に流入した後、開放状態に設定されている開閉弁１９を通って減圧作用を受けずに第二熱交換器１３に流入する。第一熱交換器１２および第二熱交換器１３には循環ファン２０の運転により吸込口３を介して浴室２の空気が供給され、高温高圧の冷媒が供給空気に対して放熱して供給空気は加熱される。加熱された供給空気は、第一ダンパー２２の開放方向である接続ダクト９側に導かれて図示しない通風口８から脱衣所５内に供給される。一方、第一熱交換器１２および第二熱交換器１３で放熱した冷媒は、減圧機構１５に流入し減圧膨張して低温低圧となり第三熱交換器１４に流入する。第三熱交換器１４には排気ファン２１の運転によって第二ダンパー２３の開放方向である吸込口３を通じて浴室２の空気が供給され、冷媒がこの供給空気から吸熱する。第三熱交換器１４で吸熱した冷媒は、流路切換弁１７を通って圧縮機１１に戻り、冷媒回路１６を循環する。一方、第三熱交換器１４において冷媒に吸熱された空気は排気ダクト１０から屋外に排出される。
【００３４】
このように脱衣所暖房運転は、第三熱交換器１４において冷媒が供給空気から吸熱するとともに第一熱交換器１２および第二熱交換器１３において冷媒が供給空気に対して放熱し、この放熱により加熱された高温空気を脱衣所５に供給することによって脱衣所５内を暖房するものであり、この脱衣所暖房運転においては第一熱交換器１２および第二熱交換器１３が供給空気に対して冷媒が放熱する放熱器２４、第三熱交換器１４が供給空気から冷媒が吸熱する吸熱器２５となる。
【００３５】
そして上記構成においては、上述のように浴室２の天井面に設置された本体１と脱衣所５を単一の接続ダクト９で接続する簡易な構成において第一ダンパー２２および第二ダンパー２３の切換動作のみで、図３（ａ）に示す浴室暖房運転と図３（ｂ）に示す脱衣所暖房運転の切り換えが可能であり、接続ダクトの本数削減による省スペース化と施工性の向上を図ることができる。
【００３６】
図４は、浴室冷房運転および脱衣所冷房運転の運転動作を説明する動作説明図であり、図４（ａ）は浴室冷房運転時の動作、図４（ｂ）は脱衣所冷房運転時の動作を示している。まず浴室冷房運転を実行する場合は、図４（ａ）に示すように流路切換弁１７を冷房サイクル側、開閉弁１９を開放状態、第一ダンパー２２を循環ファン２０の吹出側が吹出口４と連通する位置に設定し、第二ダンパー２３を排気ファン２１の吸込側が接続ダクト９と連通する位置に設定する。
【００３７】
このような状態で圧縮機１１、循環ファン２０、排気ファン２１を各々運転すると、圧縮機１１で圧縮された高温高圧の冷媒が冷房サイクル側に設定されている流路切換弁１７を通り、第三熱交換器１４に流入する。第三熱交換器１４には排気ファン２１の運転によって第二ダンパー２３の開放方向である接続ダクト９を通じて脱衣所５の空気が供給され、冷媒がこの供給空気に対して放熱する。第三熱交換器１４において冷媒の放熱により高温となった脱衣所５の空気は排気ダクト１０を通って屋外に排出される。一方、第三熱交換器１４で放熱した冷媒は減圧機構１５に流入し減圧膨張して低温低圧となり第二熱交換器１３に流入する。第二熱交換器１３に流入した冷媒は、開放状態に設定されている開閉弁１９を通って減圧作用を受けずに第一熱交換器１２に流入する。第二熱交換器１３および第一熱交換器１２には循環ファン２０の運転により吸込口３を介して浴室２の空気が供給され、低温低圧の冷媒が供給空気から吸熱して供給空気は冷却される。冷却された供給空気は、第一ダンパー２２の開放方向である吹出口４側に導かれて吹出口４から浴室２内に供給される。一方、第一熱交換器１２で吸熱した冷媒は、流路切換弁１７を通って圧縮機１１に戻り、冷媒回路１６を循環する。
【００３８】
このように浴室冷房運転は、第三熱交換器１４において冷媒が供給空気に対して放熱するとともに第二熱交換器１３および第一熱交換器１２において冷媒が供給空気から吸熱し、この吸熱により冷却された低温空気を浴室２に供給することによって浴室２内を冷房するものであり、この浴室冷房運転においては第三熱交換器１４が供給空気に対して冷媒が放熱する放熱器２４、第二熱交換器１３および第一熱交換器１２が供給空気から冷媒が吸熱する吸熱器２５となる。
【００３９】
次に脱衣所冷房運転について説明する。この脱衣所冷房運転を実行する場合は、図４（ｂ）に示すように流路切換弁１７を冷房サイクル側、開閉弁１９を開放状態、第一ダンパー２２を循環ファン２０の吹出側が接続ダクト９と連通する位置に設定し、第二ダンパー２３を排気ファン２１の吸込側が吸込口４と連通する位置に設定する。
【００４０】
このような状態で圧縮機１１、循環ファン２０、排気ファン２１を各々運転すると、圧縮機１１で圧縮された高温高圧の冷媒が冷房サイクル側に設定されている流路切換弁１７を通り、第三熱交換器１４に流入する。第三熱交換器１４には排気ファン２１の運転によって第二ダンパー２３の開放方向である吸込口３を通じて浴室２の空気が供給され、冷媒がこの供給空気に対して放熱する。第三熱交換器１４において冷媒の放熱により高温となった浴室２の空気は排気ダクト１０を通って屋外に排出される。一方、第三熱交換器１４で放熱した冷媒は減圧機構１５に流入し減圧膨張して低温低圧となり第二熱交換器１３に流入する。第二熱交換器１３に流入した冷媒は、開放状態に設定されている開閉弁１９を通って減圧作用を受けずに第一熱交換器１２に流入する。第二熱交換器１３および第一熱交換器１２には循環ファン２０の運転により吸込口３を通じて浴室２の空気が供給され、低温低圧の冷媒が供給空気から吸熱して供給空気は冷却される。冷却された供給空気は、第一ダンパー２２の開放方向である接続ダクト９側に導かれて図示しない通風口８から脱衣所５内に供給される。一方、第一熱交換器１２で吸熱した冷媒は、流路切換弁１７を通って圧縮機１１に戻り、冷媒回路１６を循環する。
【００４１】
このように脱衣所冷房運転は、第三熱交換器１４において冷媒が供給空気に対して放熱するとともに第二熱交換器１３および第一熱交換器１２において冷媒が供給空気から吸熱し、この吸熱により冷却された低温空気を脱衣所５に供給することによって脱衣所５内を冷房するものであり、この脱衣所冷房運転においては第三熱交換器１４が供給空気に対して冷媒が放熱する放熱器２４、第二熱交換器１３および第一熱交換器１２が供給空気から冷媒が吸熱する吸熱器２５となる。
【００４２】
そして上記構成においては、上述のように浴室２の天井面に設置された本体１と脱衣所５を単一の接続ダクト９で接続する簡易な構成において第一ダンパー２２および第二ダンパー２３の切換動作のみで、図４（ａ）に示す浴室冷房運転と図４（ｂ）に示す脱衣所冷房運転の切り換えが可能であり、接続ダクトの本数削減による省スペース化と施工性の向上を図ることができる。
【００４３】
図５は、浴室除湿運転および脱衣所除湿運転の運転動作を説明する動作説明図であり、図５（ａ）は浴室除湿運転時の動作、図５（ｂ）は脱衣所除湿運転時の動作を示している。まず浴室除湿運転を実行する場合は、図５（ａ）に示すように流路切換弁１７を暖房サイクル側、開閉弁１９を閉鎖状態、第一ダンパー２２を循環ファン２０の吹出側が吹出口４と連通する位置に設定し、第二ダンパー２３を排気ファン２１の吸込側が接続ダクト９と連通する位置に設定する。
【００４４】
このような状態で圧縮機１１および循環ファン２０を運転すると、圧縮機１１で圧縮された高温高圧の冷媒が暖房サイクル側に設定されている流路切換弁１７を通り、第一熱交換器１２に流入した後、開閉弁１９が閉鎖状態に設定されているのでキャピラリチューブ１８に流入する。キャピラリチューブ１８において冷媒は減圧膨張し、低温低圧となって第二熱交換器１３に流入する。第二熱交換器１３には循環ファン２０の運転により吸込口３を介して浴室２の空気が供給され、低温低圧の冷媒が供給空気から吸熱して供給空気は冷却減湿される。冷却減湿された供給空気は、下流に位置する第一熱交換器１２に供給され、上述した高温高圧の冷媒が供給空気に対して放熱するので供給空気は加熱される。このように第二熱交換器１３において冷却減湿された後、第一熱交換器１２において加熱された供給空気は、第一ダンパー２２の開放方向である吹出口４側に導かれて吹出口４から浴室２内に供給される。一方、第二熱交換器１３で吸熱した冷媒は、減圧機構１５、第三熱交換器１４、流路切換弁１７を通って圧縮機１１に戻り、冷媒回路１６を循環する。
【００４５】
このように浴室除湿運転は、第二熱交換器１３において冷媒が供給空気から吸熱し、この吸熱により冷却減湿された供給空気に対して第一熱交換器１２において冷媒が放熱することにより、再加熱された低湿空気を浴室２に供給することによって浴室２内を除湿するものであり、この浴室除湿運転においては第一熱交換器１２が供給空気に対して冷媒が放熱する放熱器２４、第二熱交換器１３が供給空気から冷媒が吸熱する吸熱器２５となる。なお、第二ダンパー２３は、排気ファン２１の吸込側と接続ダクト９が連通する位置に設定されているので、接続ダクト９および排気ダクト１０と吸込口３は閉鎖状態となり、浴室２に供給された低湿空気の脱衣所５および屋外への漏洩や脱衣所５および屋外からの湿気の侵入が抑制され浴室２内が効果的に除湿されることになる。
【００４６】
次に脱衣所除湿運転について説明する。この脱衣所除湿運転を実行する場合は、図５（ｂ）に示すように流路切換弁１７を暖房サイクル側、開閉弁１９を閉鎖状態、第一ダンパー２２を循環ファン２０の吹出側が接続ダクト９と連通する位置に設定し、第二ダンパー２３を排気ファン２１の吸込側が吸込口４と連通する位置に設定する。
【００４７】
このような状態で圧縮機１１および循環ファン２０を運転すると、圧縮機１１で圧縮された高温高圧の冷媒が暖房サイクル側に設定されている流路切換弁１７を通り、第一熱交換器１２に流入した後、開閉弁１９が閉鎖状態に設定されているのでキャピラリチューブ１８に流入する。キャピラリチューブ１８において冷媒は減圧膨張し、低温低圧となって第二熱交換器１３に流入する。第二熱交換器１３には循環ファン２０の運転により吸込口３を介して浴室２の空気が供給され、低温低圧の冷媒が供給空気から吸熱して供給空気は冷却減湿される。冷却減湿された供給空気は、下流に位置する第一熱交換器１２に供給され、上述した高温高圧の冷媒が供給空気に対して放熱するので供給空気は加熱される。このように第二熱交換器１３において冷却減湿された後、第一熱交換器１２において加熱された供給空気は、第一ダンパー２２の開放方向である接続ダクト９を通って図示しない通風口８から脱衣所５内に供給される。一方、第二熱交換器１３で吸熱した冷媒は、減圧機構１５、第三熱交換器１４、流路切換弁１７を通って圧縮機１１に戻り、冷媒回路１６を循環する。
【００４８】
このように脱衣所除湿運転は、第二熱交換器１３において冷媒が供給空気から吸熱し、この吸熱により冷却減湿された供給空気に対して第一熱交換器１２において冷媒が放熱することにより再加熱された低湿空気を脱衣所５に供給することによって脱衣所５内を除湿するものであり、この脱衣所除湿運転においては第一熱交換器１２が供給空気に対して冷媒が放熱する放熱器２４、第二熱交換器１３が供給空気から冷媒が吸熱する吸熱器２５となる。
【００４９】
そして上記構成においては、上述のように浴室２の天井面に設置された本体１と脱衣所５を単一の接続ダクト９で接続する簡易な構成において第一ダンパー２２および第二ダンパー２３の切換動作のみで、図５（ａ）に示す浴室除湿運転と図５（ｂ）に示す脱衣所除湿運転の切り換えが可能であり、ダクトの本数削減による省スペース化と施工性の向上を図ることができる。
【００５０】
図６は、浴室除湿乾燥運転および脱衣所除湿乾燥運転の運転動作を説明する動作説明図であり、図６（ａ）は浴室除湿乾燥運転時の動作、図６（ｂ）は脱衣所除湿乾燥運転時の動作を示している。まず浴室除湿乾燥運転を実行する場合は、図６（ａ）に示すように流路切換弁１７を暖房サイクル側、開閉弁１９を閉鎖状態、第一ダンパー２２を循環ファン２０の吹出側が吹出口４と連通する位置に設定し、第二ダンパー２３を排気ファン２１の吸込側が接続ダクト９と連通する位置に設定する。
【００５１】
このような状態で圧縮機１１、循環ファン２０、排気ファン２１を各々運転すると、圧縮機１１で圧縮された高温高圧の冷媒が暖房サイクル側に設定されている流路切換弁１７を通り、第一熱交換器１２に流入した後、開閉弁１９が閉鎖状態に設定されているのでキャピラリチューブ１８に流入する。キャピラリチューブ１８において冷媒は減圧膨張し、低温低圧となって第二熱交換器１３に流入する。第二熱交換器１３には循環ファン２０の運転により吸込口３を介して浴室２の空気が供給され、低温低圧の冷媒が供給空気から吸熱して供給空気は冷却減湿される。冷却減湿された供給空気は、下流に位置する第一熱交換器１２に供給され、上述した高温高圧の冷媒が供給空気に対して放熱するので供給空気は加熱される。第二熱交換器１３において冷却減湿された後に第一熱交換器１２において加熱された供給空気は、第一ダンパー２２の開放方向である吹出口４側に導かれて吹出口４から浴室２内に供給される。一方、第二熱交換器１３で吸熱した冷媒は、減圧機構１５に流入し再度減圧膨張して低温低圧となり第三熱交換器１４に流入する。第三熱交換器１４には排気ファン２１の運転によって第二ダンパー２３の開放方向である接続ダクト９を通じて脱衣所５の空気が供給され、冷媒がこの供給空気から更に吸熱する。第三熱交換器１４で吸熱した冷媒は、流路切換弁１７を通って圧縮機１１に戻り、冷媒回路１６を循環する。一方、第三熱交換器１４において冷媒に吸熱された空気は排気ダクト１０から屋外に排出される。
【００５２】
このように浴室除湿乾燥運転は、第二熱交換器１３および第三熱交換器１４において冷媒が浴室２の空気および接続ダクト９を通って供給される脱衣所５の空気から吸熱するとともに、第一熱交換器１２において冷媒が第二熱交換器１３で冷却減湿された供給空気に対して浴室２の空気および脱衣所５の空気から回収した熱を放熱することによって供給空気を高温低湿状態にし、この高温低湿状態の空気を浴室２に供給することによって浴室２内の除湿乾燥を行うものであり、この浴室除湿乾燥運転においては、第一熱交換器１２が循環ファン２０により供給される空気に対して冷媒が放熱する放熱器２４、第二熱交換器１３が循環ファン２０により供給される空気から冷媒が吸熱する第一吸熱器２６、第三熱交換器１４が排気ファン２１により供給される空気から冷媒が吸熱する第二吸熱器２７となる。
【００５３】
次に脱衣所除湿乾燥運転について説明する。この脱衣所除湿乾燥運転を実行する場合は、図６（ｂ）に示すように流路切換弁１７を暖房サイクル側、開閉弁１９を閉鎖状態、第一ダンパー２２を循環ファン２０の吹出側が接続ダクト９と連通する位置に設定し、第二ダンパー２３を排気ファン２１の吸込側が吸込口４と連通する位置に設定する。
【００５４】
このような状態で圧縮機１１、循環ファン２０、排気ファン２１を各々運転すると、圧縮機１１で圧縮された高温高圧の冷媒が暖房サイクル側に設定されている流路切換弁１７を通り、第一熱交換器１２に流入した後、開閉弁１９が閉鎖状態に設定されているのでキャピラリチューブ１８に流入する。キャピラリチューブ１８において冷媒は減圧膨張し、低温低圧となって第二熱交換器１３に流入する。第二熱交換器１３には循環ファン２０の運転により吸込口３を介して浴室２の空気が供給され、低温低圧の冷媒が供給空気から吸熱して供給空気は冷却減湿される。冷却減湿された供給空気は、下流に位置する第一熱交換器１２に供給され、上述した高温高圧の冷媒が供給空気に対して放熱するので供給空気は加熱される。第二熱交換器１３において冷却減湿された後に第一熱交換器１２において加熱された供給空気は、第一ダンパー２２の開放方向である接続ダクト９側に導かれて図示しない通風口８から脱衣所５内に供給される。一方、第二熱交換器１３で吸熱した冷媒は、減圧機構１５に流入し再度減圧膨張して低温低圧となり第三熱交換器１４に流入する。第三熱交換器１４には排気ファン２１の運転によって第二ダンパー２３の開放方向である吸込口３を通じて浴室２の空気が供給され、冷媒がこの供給空気から更に吸熱する。第三熱交換器１４で吸熱した冷媒は、流路切換弁１７を通って圧縮機１１に戻り、冷媒回路１６を循環する。一方、第三熱交換器１４において冷媒に吸熱された空気は排気ダクト１０から屋外に排出される。
【００５５】
このように脱衣所除湿乾燥運転は、第二熱交換器１３および第三熱交換器１４において冷媒が浴室２の空気および接続ダクト９を通って供給される脱衣所５の空気から吸熱するとともに、第一熱交換器１２において冷媒が第二熱交換器１３で冷却減湿された供給空気に対して浴室２の空気および脱衣所５の空気から回収した熱を放熱することによって供給空気を高温低湿状態にし、この高温低湿状態の空気を脱衣所５に供給することによって脱衣所５内の除湿乾燥を行うものであり、この脱衣所除湿乾燥運転においては、第一熱交換器１２が循環ファン２０により供給される空気に対して冷媒が放熱する放熱器２４、第二熱交換器１３が循環ファン２０により供給される空気から冷媒が吸熱する第一吸熱器２６、第三熱交換器１４が排気ファン２１により供給される空気から冷媒が吸熱する第二吸熱器２７となる。
【００５６】
そして上記構成においては、上述のように浴室２の天井面に設置された本体１と脱衣所５を単一の接続ダクト９で接続する簡易な構成において第一ダンパー２２および第二ダンパー２３の切換動作のみで、図６（ａ）に示す浴室除湿乾燥運転と図６（ｂ）に示す脱衣所除湿乾燥運転の切り換えが可能であり、接続ダクトの本数削減による省スペース化と施工性の向上を図ることができる。
【００５７】
図７は、浴室乾燥運転の運転動作を説明する動作説明図であり、浴室乾燥運転を実行する場合は、図７に示すように流路切換弁１７を暖房サイクル側、開閉弁１９を閉鎖状態、第一ダンパー２２を循環ファン２０の吹出側が吹出口４と連通する位置に設定し、第二ダンパー２３を排気ファン２１の吸込側が吸込口３と連通する位置に設定する。
【００５８】
このような状態で圧縮機１１、循環ファン２０、排気ファン２１を各々運転すると、圧縮機１１で圧縮された高温高圧の冷媒が暖房サイクル側に設定されている流路切換弁１７を通り、第一熱交換器１２に流入した後、開放状態に設定されている開閉弁１９を通って減圧作用を受けずに第二熱交換器１３に流入する。第一熱交換器１２および第二熱交換器１３には循環ファン２０の運転により吸込口３を介して浴室２の空気が供給され、高温高圧の冷媒が供給空気に対して放熱して供給空気は加熱される。加熱された供給空気は、第一ダンパー２２の開放方向である吹出口４側に導かれて吹出口４から浴室２内に供給される。一方、第一熱交換器１２および第二熱交換器１３で放熱した冷媒は、減圧機構１５に流入し減圧膨張して低温低圧となり第三熱交換器１４に流入する。第三熱交換器１４には排気ファン２１の運転によって第二ダンパー２３の開放方向である吸込口３を通じて浴室２の空気が供給され、冷媒がこの供給空気から吸熱する。第三熱交換器１４で吸熱した冷媒は、流路切換弁１７を通って圧縮機１１に戻り、冷媒回路１６を循環する。一方、第三熱交換器１４において冷媒に吸熱された空気は排気ダクト１０から屋外に排出される。
【００５９】
このように浴室乾燥運転は、第三熱交換器１４において冷媒が浴室２内の空気から吸熱することにより供給空気に含まれる湿気から熱を回収し、この回収した熱を第一熱交換器１２および第二熱交換器１３において冷媒が供給空気に対して放熱することにより、この放熱により加熱された高温空気を浴室２に供給して浴室２内を乾燥するものであり、効率良く浴室２内の乾燥を行うことができる。特に浴室２内に洗濯物を干して乾燥する場合は衣類から放散される湿気を第三熱交換器１４で回収するので乾燥効率が高められる。この浴室暖房運転においては第一熱交換器１２および第二熱交換器１３が供給空気に対して冷媒が放熱する放熱器２４、第三熱交換器１４が供給空気から冷媒が吸熱する吸熱器２５となる。
【００６０】
そして上記構成においては、上述のように浴室２の天井面に設置された本体１と脱衣所５を単一の接続ダクト９で接続する簡易な構成において第一ダンパー２２および第二ダンパー２３の切換動作のみで、浴室乾燥運転を実行することが可能であり、ダクトの本数削減による省スペース化と施工性の向上を図ることができる。
【００６１】
以上説明した構成および動作により、本実施形態の多室形換気空調装置は、浴室２の天井面に配設された本体１と浴室２に隣接した脱衣所５とを接続する単一の接続ダクト９内の空気流通方向を切り換えることにより、浴室２の空調と脱衣所５の空調を切換可能にし、施工性の向上とダクトの省スペース化を実現するという効果を奏するものである。
【００６２】
そして、排気ファン２１により接続ダクト９を通じて脱衣所５の空気を本体１内に取り入れて吸熱器２５に供給し冷媒の吸熱により冷却した後に排気ダクト１０を通じて屋外に排出するとともに循環ファン２０により浴室２内の空気を本体１内に取り入れて放熱器２４に供給し冷媒の放熱により加熱した後に浴室２に供給する運転形態と、排気ファン２１により浴室２内の空気を本体１内に取り入れて吸熱器２５に供給し冷媒の吸熱により冷却した後に排気ダクト１０を通じて屋外に排出するとともに循環ファン２０により浴室２内の空気を本体１内に取り入れて放熱器２４に供給し冷媒の放熱により加熱した後に接続ダクト９を通じて脱衣所５に供給する運転形態を切換可能に構成したことにより、本体１と脱衣所５を単一の接続ダクト９のみで接続する簡易な構成において浴室２の暖房と脱衣所５の暖房を切換可能にし、施工性の向上とダクトの省スペース化を実現することができる。
【００６３】
また、排気ファン２１により接続ダクト９を通じて脱衣所５の空気を本体１内に取り入れて放熱器２４に供給し冷媒の放熱により加熱した後に排気ダクト１０を通じて屋外に排出するとともに循環ファン２０により浴室２内の空気を本体１内に取り入れて吸熱器２５に供給し冷媒の吸熱により冷却した後に浴室２に供給する運転形態と、排気ファン２１により浴室２内の空気を本体１内に取り入れて放熱器２４に供給し冷媒の放熱により加熱した後に排気ダクト１０を通じて屋外に排出するとともに循環ファン２０により浴室２内の空気を本体１内に取り入れて吸熱器２５に供給し冷媒の吸熱により冷却した後に接続ダクト９を通じて脱衣所５に供給する運転形態を切換可能に構成したことにより、本体１と脱衣所５を単一の接続ダクト９のみで接続する簡易な構成において浴室２の冷房と脱衣所５の冷房を切換可能にし、施工性の向上とダクトの省スペース化を実現することができる。
【００６４】
また、循環ファン２０により浴室２内の空気を本体１内に取り入れて吸熱器２５に供給し冷媒の吸熱により冷却減湿した後に放熱器２４に供給し冷媒の放熱により加熱して浴室２に供給する運転形態と、循環ファン２０により浴室２内の空気を本体１内に取り入れて吸熱器２５に供給し冷媒の吸熱により冷却減湿した後に放熱器２４に供給し冷媒の放熱により加熱して接続ダクト９を通じて脱衣所５に供給する運転形態を切換可能に構成したことにより、本体１と脱衣所５を単一の接続ダクト９のみで接続する簡易な構成において浴室２の除湿と脱衣所５の除湿を切換可能にし、施工性の向上とダクトの省スペース化を実現することができる。
【００６５】
また、排気ファン２１により接続ダクト９を通じて脱衣所５の空気を本体１内に取り入れて第二吸熱器２７に供給し冷媒の吸熱により冷却した後に排気ダクト１０を通じて屋外に排出するとともに循環ファン２０により浴室内の空気を本体１内に取り入れて第一吸熱器２６に供給し冷媒の吸熱により冷却減湿した後に放熱器２４に供給し冷媒の放熱により加熱して浴室２に供給する運転形態と、排気ファン２１により浴室２内の空気を本体１内に取り入れて第二吸熱器２７に供給し冷媒の吸熱により冷却した後に排気ダクト１０を通じて屋外に排出するとともに循環ファン２０により浴室２内の空気を本体１内に取り入れて第一吸熱器２６に供給し冷媒の吸熱により冷却減湿した後に放熱器２４に供給し冷媒の放熱により加熱して接続ダクト９を通じて脱衣所５に供給する運転形態を切換可能に構成したことにより、本体１と脱衣所５を単一の接続ダクト９のみで接続する簡易な構成において浴室２の除湿乾燥と脱衣所５の除湿乾燥を切換可能にし、施工性の向上とダクトの省スペース化を実現することができる。
【００６６】
また、排気ファン２１により浴室２内の空気を本体１内に取り入れて吸熱器２５に供給し冷媒の吸熱により冷却した後に排気ダクト１０を通じて屋外に排出するとともに循環ファン２０により浴室２内の空気を本体１内に取り入れて放熱器２４に供給し冷媒の放熱により加熱した後に浴室２に供給する浴室乾燥運転の形態を更に切換可能に構成したことにより、本体１と脱衣所５を単一の接続ダクト９のみで接続する簡易な構成において高効率な乾燥運転を実現することができる。
【産業上の利用可能性】
【００６７】
以上のように本発明にかかる多室形換気空調装置は、単一のダクトで脱衣所と本体を連通するのみで浴室の空調と脱衣所の空調を切換可能にし、施工性の向上とダクトの省スペース化を実現することができるものであり、浴室および脱衣所の換気空調のみならず、トイレ、リビング、寝室、キッチン等の多室形換気空調装置にも適用することができる。
【図面の簡単な説明】
【００６８】
【図１】本発明の実施の形態１にかかる多室形換気空調装置の設置状態を示す図
【図２】同多室形換気空調装置の風路構成図および冷媒回路図
【図３】同多室形換気空調装置の運転動作を説明する動作説明図（（ａ）浴室暖房運転時の運転動作を説明する動作説明図、（ｂ）脱衣所暖房運転時の運転動作を説明する動作説明図）
【図４】同多室形換気空調装置の運転動作を説明する動作説明図（（ａ）浴室冷房運転時の運転動作を説明する動作説明図、（ｂ）脱衣所冷房運転時の運転動作を説明する動作説明図）
【図５】同多室形換気空調装置の運転動作を説明する動作説明図（（ａ）浴室除湿運転時の運転動作を説明する動作説明図、（ｂ）脱衣所除湿運転時の運転動作を説明する動作説明図）
【図６】同多室形換気空調装置の運転動作を説明する動作説明図（（ａ）浴室除湿乾燥運転時の運転動作を説明する動作説明図、（ｂ）脱衣所除湿乾燥運転時の運転動作を説明する動作説明図）
【図７】同多室形換気空調装置の浴室乾燥運転時の運転動作を説明する動作説明図
【符号の説明】
【００６９】
１    本体
２    浴室
５    脱衣所
９    接続ダクト
１０  排気ダクト
１１  圧縮機
１５  減圧機構
１６  冷媒回路
２０  循環ファン
２１  排気ファン
２４  放熱器
２５  吸熱器
２６  第一吸熱器
２７  第二吸熱器
【図１】
0005040537.tif 000002
【図２】
0005040537.tif 000003
【図３】
0005040537.tif 000004
【図４】
0005040537.tif 000005
【図５】
0005040537.tif 000006
【図６】
0005040537.tif 000007
【図７】
0005040537.tif 000008